(57)【要約】【課題】面板２とこれを囲う額縁状の飾り枠３とで構成されるコンロ用天板であって、飾り枠を構成する左右の各側枠片４と、前枠片５と、通気口１０を開設した平板部９を有する後枠片６とをそれぞれ押し出し成形材で形成するものにおいて、面板の後縁を前縁に平行な直線とは異なる形状に形成しても、後枠片で面板の後縁部を受けられるようにする。【解決手段】後枠片６となる押し出し成形材を、面板２の後縁の最前位の部分よりも前方に前縁が位置するような前後方向幅を持つ平板部９を有するものに形成する。この平板部９の前縁部分に、面板２の後縁部を受ける面板受け部８を、プレス加工で面板２の後縁の形状に対応する形状に形成する。【選択図】図２
2005308337.tif 000002
【特許請求の範囲】
【請求項１】
コンロ本体を上方から覆うコンロ用天板であって、面板と面板を囲う額縁状の飾り枠とから成り、飾り枠は、左右一対の側枠片と、両側枠片の前端部間に跨る前枠片と、両側枠片の後端部間に跨り、コンロ本体内に連通する通気口を開設した平板部を有する後枠片とで構成され、これら各側枠片、前枠片および後枠片は夫々押し出し成形材で形成されるものにおいて、
面板の後縁が面板の前縁に平行な直線とは異なる形状に形成され、
各側枠片となる押し出し成形材と前枠片となる押し出し成形材は、夫々、面板の対応する縁部を受ける面板受け部を有する断面形状に形成され、
後枠片となる押し出し成形材は、面板の後縁の最前位の部分よりも前方に前縁が位置するような前後方向幅を持つ平板部を有するものに形成され、この平板部の前縁部分に、面板の後縁部を受ける面板受け部がプレス加工で面板の後縁の形状に対応する形状に形成されることを特徴とするコンロ用天板。
【請求項２】
各側枠片となる押し出し成形材、前枠片となる押し出し成形材および後枠片となる押し出し成形材は、夫々、コンロ用天板を支持する天板支持体に着座する外縁側のスカート部を有し、これら各押し出し成形材のスカート部が同一形状に形成されていることを特徴とする請求項１記載のコンロ用天板。
【請求項３】
前記平板部の前記通気口の開設箇所に、プレス加工により、通気口への異物の侵入を防止するためのガード部が一体に形成されていることを特徴とする請求項１または２記載のコンロ用天板。
【発明の詳細な説明】
【技術分野】
【０００１】
本発明は、コンロ本体を上方から覆うコンロ用天板、特に、面板と面板を囲う飾り枠とで構成されるコンロ用天板に関する。
【背景技術】
【０００２】
従来、コンロ用天板の主体部分をガラス製等の面板で構成し、面板の外縁の保護及び装飾のため、面板を額縁状の飾り枠で囲うようにしたコンロ用天板が知られている(例えば、特許文献１参照)。ここで、飾り枠は、左右一対の側枠片と、両側枠片の前端部間に跨る前枠片と、両側枠片の後端部間に跨る後枠片とで構成される。これら各側枠片、前枠片および後枠片は、剛性および外観性を確保するため、アルミニウム等の金属の押し出し成形材で形成される。そして、各枠片となる押し出し成形材は、面板の対応する縁部を受ける面板受け部を有する断面形状に形成され、この受け部に面板の対応する縁部を接着剤等で固定している。
【０００３】
ここで、コンロがグリル付きのものである場合は、後枠片を前後に離間した２部材で構成し、後枠片の前側部材に面板の後縁部を受ける面板受け部を形成し、後枠片の前側部材と後側部材との間にグリルの排気ダクトを臨ませる通気口を画成している。然し、このものでは、後枠片を２部材構成とすることにより部品点数が増し、コストが高くなる不具合がある。
【０００４】
そこで、本願出願人は、先に、特願２００３−８２８７２号により、飾り枠の後枠片を、平面視矩形状の平板部と、平板部の前縁に位置する、面板の後縁部を受ける面板受け部とを有する断面形状の単一の押し出し成形材で形成し、平板部にコンロ本体内に連通する通気口をプレス加工で形成したものを提案している。これによれば、通気口を形成するために後枠片を２部材構成にする必要がなく、部品点数の増加によるコストアップを回避できる。
【０００５】
ところで、面板は平面視矩形状に形成され、面板の後縁は面板の前縁に平行な直線状になっているが、面板の後縁部を部分的に後方に延出させて、この延出部分を調理容器の仮置き場所に活用したり、３口コンロの後側の熱源と前側の熱源との間の距離を広く確保するために、面板の後縁中央部を後方に延出することが望まれる場合がある。然し、上記の如く後枠片を押し出し成形材で形成すると、その平板部は前後方向幅が全長に亘って等幅に形成され、平板部の前縁に位置する面板受け部は面板の前縁に平行な直線状になる。従って、面板の後縁に部分的な後方への延出部が形成されて、面板の後縁が面板の前縁に平行な直線とは異なる形状になっていると、面板の後縁部を後枠片の面板受け部で受けることができなくなる。この場合、後枠片を金属板のプレス成形品で構成すれば、面板の後縁が面板の前縁に平行な直線とは異なる形状になっていても、後枠片に面板の後縁に合致する形状の面板受け部を形成できるが、これでは、後枠片の剛性を確保しにくく、また、押し出し成形材で形成される他の枠片との外観的な統一感が得られず、体裁を損なう。
【特許文献１】特開２００１−１９３９４６号公報(図１)
【発明の開示】
【発明が解決しようとする課題】
【０００６】
本発明は、以上の点に鑑み、面板の後縁を面板の前縁に平行な直線とは異なる形状に形成して、且つ、後枠片を側枠片、前枠片と同様に押し出し成形材で形成できるようにした、高剛性で外観性に優れた飾り枠を備えるコンロ用天板を提供することをその課題としている。
【課題を解決するための手段】
【０００７】
上記課題を解決するために、本発明は、コンロ本体を上方から覆うコンロ用天板であって、面板と面板を囲う額縁状の飾り枠とから成り、飾り枠は、左右一対の側枠片と、両側枠片の前端部間に跨る前枠片と、両側枠片の後端部間に跨り、コンロ本体内に連通する通気口を開設した平板部を有する後枠片とで構成され、これら各側枠片、前枠片および後枠片は夫々押し出し成形材で形成されるものにおいて、面板の後縁が面板の前縁に平行な直線とは異なる形状に形成され、各側枠片となる押し出し成形材と前枠片となる押し出し成形材は、夫々、面板の対応する縁部を受ける面板受け部を有する断面形状に形成され、後枠片となる押し出し成形材は、面板の後縁の最前位の部分よりも前方に前縁が位置するような前後方向幅を持つ平板部を有するものに形成され、この平板部の前縁部分に、面板の後縁部を受ける面板受け部がプレス加工で面板の後縁の形状に対応する形状に形成されることを特徴とする。
【０００８】
後枠片となる押し出し成形材の平板部の前縁は面板の前縁に平行な直線状になるが、この平板部の前後方向幅を上記の如く設定することにより、平板部は、面板の後縁が面板の前縁に平行な直線とは異なる形状に形成されていても、平板部の前後方向幅内に面板の後縁の全域が収まる大きさになる。そして、この平板部を一種の金属板として取り扱い、これにプレス加工(絞り加工、抜き加工)を施すことにより、平板部の前縁部分に、面板の後縁部を受ける面板受け部を面板の後縁に対応する形状で形成することができる。従って、面板の後縁が面板の前縁に平行な直線とは異なる形状に形成されていても、後枠片を側枠片、前枠片と同様に押し出し成形材で形成でき、高剛性で外観性に優れた飾り枠を備えるコンロ用天板が得られる。
【０００９】
特に、各側枠片となる押し出し成形材と前枠片となる押し出し成形材とに、コンロ用天板を支持する天板支持体に着座する外縁側のスカート部を形成する場合、後枠片となる押し出し成形材に上記スカート部と同一形状のスカート部を形成しておくことにより、飾り枠を構成する全ての枠片の外観的な統一感を得ることができ、体裁が良好になる。
【００１０】
尚、平板部には、プレス加工で通気口を開設するが、このプレス加工に際し、平板部の通気口の開設箇所に、通気口への異物の侵入を防止するためのガード部を一体に形成することが望ましい。これによれば、通気口を覆う別体のガード部材が不要になり、コストダウンを図れる。
【発明を実施するための最良の形態】
【００１１】
図１は、３口ガスコンロのコンロ本体(図示せず)を上方から覆うコンロ用天板１を示している。この天板１は、天板の主体部分となる面板２とこの面板２を囲う額縁状の飾り枠３とで構成される。面板２は、セラミックガラス等の耐熱ガラス製の平板で形成されている。面板２には、コンロ本体に設けた前側の左右一対のバーナと後部中央の１個のバーナとの計３個のバーナを臨ませる３個のバーナ用開口２ａ，２ｂ，２ｃが開設されている。そして、前側の左右の各バーナ用開口２ａ，２ｂ上に比較的大径の調理容器を載置している状態で後部中央のバーナ用開口２ｃ上にも比較的大径の調理容器を載置できるように、面板１の後縁中央部に後方への円弧状の延出部２ｄを形成し、後部中央のバーナ用開口２ｃの位置を後方にずらしている。従って、面板２の後縁はその前縁に平行な直線とは異なる形状になる。
【００１２】
飾り枠３は、図２に示すように、左右一対の側枠片４，４と、両側枠片４，４の前端部間に跨る前枠片５と、両側枠片４，４の後端部間に跨る後枠片6とで構成される。各側枠片４と前枠片５とは、共に、アルミニウム等の金属の押し出し成形材で形成される。各側枠片４と前枠片５との断面形状は同一であり、図3に示す如く、天板支持体（ドロップイン式コンロではカウンタトップ、卓上式コンロではコンロ本体）に着座する外縁側のスカート部７と、面板２の対応する縁部を受ける内縁側の面板受け部8とを有する。面板受け部８は、面板２の縁部の端面に対向して面板２のずれを防止する鉛直の囲い板部８ａと、囲い板部８ａから内方に張り出して面板２の縁部に対し上下方向にオーバーラップする水平の支持板部８ｂとで形成される。尚、本実施形態では、支持板部８ｂは、囲い板部８ａの下縁から内方に張り出して面板２の縁部の下面に対向するように形成されている。
【００１３】
後枠片６は、図４に示す如く、上記スカート部７と同一形状の外縁側のスカート部７と、スカート部７から前方に張り出す平板部９と、面板２の後縁部を受ける平板部９の前縁側の面板受け部８とを有する。面板受け部８は、上記受け部８と同様に、鉛直の囲い板部８ａと、囲い板部８ａの下縁から前方に張り出す水平の支持板部８ｂとで形成される。平板部９には、コンロ本体内に連通する通気口１０が開設されている。通気口１０は、コンロがグリル付きである場合には、グリルの排気ダクトを臨ませる排気口となり、また、グリル付きコンロでない場合は、コンロ本体内に燃焼用空気を供給する給気口になる。
【００１４】
ここで、各側枠片４の支持板部８ｂの前端と前枠片５の支持板部８ｂの左右の各側端とには、夫々、雄型と雌型の継手部１１ａ，１１ｂが形成されており、両継手部１１ａ，１１ｂを嵌め合わせてかしめることにより、両側枠片４，４と前枠片５とが連結される。また、各側枠片４の後枠部６の側方に位置する後端部分では、各側枠片４の面板受け部８の支持板部８ｂが切り欠かれている。そして、後枠片６の面板受け部８の支持板部８ｂの左右の各側端と、各側枠片４の面板受け部８の切り残された支持板部８ｂの後端とに、夫々、雄型と雌型の継手部１１ａ，１１ｂを形成し、両継手部１１ａ，１１ｂを嵌め合わせてかしめることにより、両側枠片４，４と後枠片６とを連結している。更に、各側枠片４のスカート部７の内面と後枠片６のスカート部７の内面とに溝部７ａを形成し、各側枠片４と後枠片６とをこの溝部７ａに嵌るＬ形のコーナ金具１２によっても連結している。このようにして左右の側枠片４と前枠片５と後枠片６とを連結することにより額縁状の飾り枠３が組み立てられる。そして、これら枠片４，５，６の面板受け部８で囲われる飾り枠３の内周部に面板２を装着し、面板２の各縁部を接着剤１３で面板受け部８に固定して、天板１を組み立てている。
【００１５】
後枠片６は、各側枠片４および前枠片５と同様にアルミニウム等の金属の押し出し成形材で形成される。ここで、押し出し成形材は全長に亘って等幅に形成されるため、押し出し成形で後枠片６の面板受け部８を一体に成形した場合には、面板受け部８が面板２の前縁に平行な直線状になり、面板２の後縁を上記の如く前縁に平行な直線とは異なる形状に形成した場合、この面板受け部８で面板２の後縁部を受けることはできない。
【００１６】
そこで、本実施形態では、図５に示す如く、後枠片６となる押し出し成形材６′をスカート部７と平板部９のみを有する断面形状に形成し、且つ、平板部９を、面板２の後縁の最前位の部分よりも前方に前縁が位置するような前後方向幅を持つように形成している。これによれば、平板部９は、その前後方向幅内に面板２の後縁の全域が収まる大きさになる。そして、この平板部９を一種の金属板として取り扱い、これにプレス加工を施すことにより、平板部９の前縁部分に、面板２の後縁部を受ける面板受け部８を面板２の後縁に対応する形状、即ち、横方向中央部に面板２の後縁の横方向中央の延出部２ｄに対応する後方への円弧状の凹入部を有する形状で形成している。
【００１７】
これを詳述するに、平板部９の前縁部分に、先ず、面板２の後縁に対応する形状で面板受け部８の囲い板部８ａとなる段部を絞り成形し、次に、通気口１０の打ち抜きと同時に、囲い板部８ａから前方に張り出している平板部９の部分を面板受け部８の支持板部８ｂとなる部分を残してトリミングし、面板受け部８を形成する。尚、後枠片６の支持板部８ｂの側端の雄型の継手部１１ａは、上記トリミングで形成され、また、各側枠片４の支持板部８ｂおよび前枠片５の支持板部８ｂの雄型と雌型の各継手部１１ａ，１１ｂも、各枠片４，５となる押し出し成形材のトリミングで形成される。
【００１８】
このように、面板２の後縁が前縁に平行な直線とは異なる形状に形成されていても、後枠片６の平板部９のプレス加工により、面板２の後縁に対応する形状の面板受け部８を形成するため、後枠片６を側枠片４および前枠片５と同様に押し出し成形材で形成できる。従って、後枠片６の剛性および他の枠片４，５との外観的な統一感を確保でき、高剛性で外観性に優れた飾り枠３が得られる。特に、視覚的に目立つ各枠片４，５，６の外縁側のスカート部７を後枠片６のスカート部７を含めて全て同一形状に形成できるため、体裁が良好になる。
【００１９】
尚、上記第１実施形態では、面板２の後縁中央の延出部２ｄの後方への延出幅を比較的小さくし、後枠片６の平板部９に、通気口１０を、その前側の開口縁の中央部が延出部２ｄに対応して後方に凹入するような状態で、横方向に連続するように形成している。但し、これに限るものではなく、図６に示す第２実施形態のように、面板２の後縁中央に後方への延出量の大きな延出部２ｄを形成し、後枠片６の平板部９に、左右両側に分離させて一対の通気口１０，１０を開設しても良い。また、図７に示す第３実施形態、或いは、第８図に示す第４実施形態のように、面板２の後縁の左右両側部、或いは、左右片側の部分に延出部２ｄを形成して、延出部２ｄを調理容器の仮置き場所に活用し得るようにし、後枠片６の平板部９に、面板２の延出部２ｄの側方に位置させて通気口１０を開設しても良い。更に、図９に示す第５実施形態のように、面板２の後縁を前後方向に傾斜した斜めの直線状に形成し、後枠片６の平板部９に前側の開口縁が前後方向に傾斜する略３角形状の通気口１０を開設することも可能である。何れの場合でも、後枠片６となる押し出し成形材を、面板２の後縁の最前位の部分よりも前方に前縁が位置するような前後方向幅を持つ平板部９を有するものに形成し、平板部９の前縁部分にプレス加工により後枠片６の後縁に対応する形状で面板受け部８を形成すれば良い。
【００２０】
また、上記実施形態では、各枠片４，５，６の面板受け部８の支持板部８ｂを面板２の縁部下面に対向するように形成したが、図１０に示す第６実施形態のように、面板２の縁部上面に対向するように支持板部８ｂを形成することも可能である。この場合、後枠片６となる押し出し成形材は、図１０(ｂ)に示すように、スカート部７の前縁から下方への段差部９ａを存して前方にのびる平板部９を有するものに形成し、平板部９の前縁部分に、上方に立ち上がる囲い板部８ａと、囲い板部８ａの上縁から前方に張り出す支持板部８ｂとを有する面板受け部８をプレス加工で形成する。
【００２１】
また、上記実施形態では、後枠片６の平板部９に単純な打ち抜きで通気口１０を開設しているが、平板部９の通気口１０の開設箇所に、プレス加工により、通気口１０への異物の侵入を防止するためのガード部を一体に形成することも可能である。例えば、図１１に示す第７実施形態のように、複数の細長形状の通気口１０を形成して、各通気口１０の前縁にルーバー状のガード部１４を切り起こしても良い。また、図１２に示す第８実施形態のように、通気口１０を覆う多数の透孔１５ａを有する板状のガード部１５を絞り成形しても良い。
【００２２】
以上、ガスコンロ用の天板に本発明を適用した実施形態について説明したが、コンロ本体内にヒータや電磁誘導コイル等の電気をエネルギー源とする加熱源を設けた電気コンロ用の天板であって、上記バーナ用開口２ａ，２ｂ，２ｃのような開口が形成されない面板を用いる天板にも同様に本発明を適用できる。また、面板２は、上記したガラス製に限られるものではなく、金属製の厚板であっても良い。また、上記実施形態では、各側枠片４と前枠片５と後枠片６とを全て別体にしているが、前枠片５と両側枠片４，４との合計長さの押し出し成形材を用い、この押し出し成形材を折り曲げて、前枠片５と両側枠片４，４とを構成することも可能である。
【図面の簡単な説明】
【００２３】
【図１】本発明天板の第１実施形態の平面図。
【図２】第１実施形態の飾り枠の分解状態の平面図。
【図３】第１実施形態の飾り枠の側枠片および前枠片の拡大断面図。
【図４】第１実施形態の飾り枠の後枠片の拡大断面図。
【図５】（ａ）第１実施形態の飾り枠の後枠片となる押し出し成形材の平面図、（ｂ）その拡大断面図。
【図６】本発明天板の第２実施形態の平面図。
【図７】本発明天板の第３実施形態の平面図。
【図８】本発明天板の第４実施形態の平面図。
【図９】本発明天板の第５実施形態の平面図。
【図１０】(ａ)本発明天板の第６実施形態の飾り枠の側枠片および前枠片の断面図、(ｂ)第６実施形態の飾り枠の後枠片の断面図。
【図１１】本発明天板の第７実施形態の通気口の部分の斜視図。
【図１２】本発明天板の第８実施形態の通気口の部分の斜視図。
【符号の説明】
【００２４】
１…天板、２…面板、３…飾り枠、４…側枠片、５…前枠片、６…後枠片、７…スカート部、８…面板受け部、９…平板部、１０…通気口、１４，１５…ガード部。
【図１】
2005308337.tif 000003
【図２】
2005308337.tif 000004
【図３】
2005308337.tif 000005
【図４】
2005308337.tif 000006
【図５】
2005308337.tif 000007
【図６】
2005308337.tif 000008
【図７】
2005308337.tif 000009
【図８】
2005308337.tif 000010
【図９】
2005308337.tif 000011
【図１０】
2005308337.tif 000012
【図１１】
2005308337.tif 000013
【図１２】
2005308337.tif 000014